(57)【要約】【課題】至極簡素な構成で、便座の便器に対する起立位置の保持と便座の便器に対する回動時の制動確保の両立が可能な便座のダンパー装置を提供すること。【解決手段】便座と一体的に設けられ且つ半径外方向に突出する外向き突起部及び前記外向き突起部に隣接して円周方向に径が徐変する作用面が形成された樹脂製の軸を、前記便座及び便器のいずれか一方に固定されたゴム製のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる便座のダンパー装置を構成した。【選択図】      図３
2004173779.tif 000002
【特許請求の範囲】
【請求項１】
便座及び便器のいずれか一方と一体的に設けられ且つ半径外方向に突出する外向き突起部及び前記外向き突起部に隣接して円周方向に径が徐変する作用面が形成された軸を前記便座及び前記便器のいずれか他方に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー装置。
【発明の詳細な説明】
【０００１】
【発明の属する技術分野】
本発明は、便座のダンパー装置に関する。
【０００２】
【従来の技術】
周知のように、起立位置にある便座を使用位置に変移せんとするとき、便座が便器に衝突して騒音が発生したりしないように、当該変移を穏やかに行うためのダンパー装置が、従来から提供されている。しかして、ダンパー装置は、便座と一体的に設けられた軸の断面をオムスビ型とし、その３つの頂点部をボス部材の孔に摺動回動可能に嵌着し、便座の便器に対する起立位置の保持と便座の便器に対する回動時の制動を図っている（例えば、特許文献１参照）。
【０００３】
【特許文献１】
特開２００１−３７６７８号公報  （第１〜６頁、図１〜８）
【０００４】
【発明が解決しようとする課題】
ところが、便座の便器に対する起立位置の保持と便座の便器に対する回動時の制動確保の両立を実現しようとする場合、軸の３つの頂点部と摺接するボス部材の孔の内周面を特別の形状に形成せねばならない。しかるに、精度管理を考慮した場合、３つの頂点部を有する軸と３つの頂点部と摺接する内周の孔を有するボス部材とを相性良くさせるのは至難であって、かような構成を備えたダンパー装置の製作は、事実上、出来ない。
【０００５】
それゆえ、本発明は、至極簡素な構成で、便座の便器に対する起立位置の保持と便座の便器に対する回動時の制動確保の両立が可能な便座のダンパー装置を提供することを、その技術的課題とする。
【０００６】
【課題を解決するための手段】
上記した課題を解決するために講じた技術的手段は、
「便座及び便器のいずれか一方と一体的に設けられ且つ半径外方向に突出する外向き突起部及び前記外向き突起部に隣接して円周方向に径が徐変する作用面が形成された軸を前記便座及び前記便器のいずれか他方に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー」
を構成したことである。
【０００７】
【発明の実施の形態】
図１〜図３に依拠して、本発明にかかる温水洗浄便座装置の一実施形態について説明する。
【０００８】
便器１０の後部上面に固定されたケース１２は、その両側に袖部１４Ａ・１４Ｂを備える。袖部１４Ａ・１４Ｂ間に位置する便座６０の後部には、樹脂製のピン部材１６Ａ・１６Ｂが固定されている。一方のピン部材１６Ａは、ダンパー装置２０を介して、袖部１４Ａに回動可能に支持される。他方、ピン部材１６Ｂは、袖部１４Ｂに回動可能に支持される。
【０００９】
ダンパー装置２０は、袖部１４Ａ内に固定されたケース２２を備える。ケース２２は、ボア部２４が形成された壁部２６と、一対のネジ３０により壁部２６と一体化される本体部２８とから構成される。本体部２８内には、ゴム製のボス部材４０が、回転不能とされるべく、凹凸嵌合の態様で、固定される。本体部２８に固定されたスリーブ３２が、ボス部材４０の一部に嵌着されている。
【００１０】
ピン部材１６Ａは、壁部２６のボア部２４に回動可能に支持される一端部１６ＡＡと、後で詳しく説明する機能部１６ＡＦと、スリーブ３２を回動可能に貫通・支持される軸部１６ＡＳと、便座６０の後部の一端部に固定される他端部１６ＡＢとから、一体構成される。
【００１１】
図２において特に明瞭に示されるように、ピン部材１６Ａの機能部１６ＡＦは、半径外方向に突出する外向き突起部１６Ｐと、外向き突起部１６Ｐに隣接して円周方向に延材する作用面１６Ｑと、作用面１６Ｑを挟んで外向き突起部１６Ｐと対峙するストッパ部１６Ｓとから構成される。作用面１６Ｑの径は、外向き突起部１６Ｐの近傍は、落ち込んでいるも、ストッパ１６Ｓに向かうに従い、漸増するように形成されている。
【００１２】
図２に示す状態においては、外向き突起部１６Ｐは、ボス部材４０の内向き突起４２と係合している。図２の状態は、便座６０が周知の起立状態のときのダンパー装置２０の内部構造を示しており、便座６０を下降させて、便座６０を周知のように便器１０上に着座させようとする場合は、便座６０を便器１０方向に付勢することによりなされる。しかして、便座６０を便器１０上に着座させるときには、図２において、まず、ピン部材１６Ａが反時計方向に回動して、外向き突起部１６Ｐが、ボス部材４０の内向き突起４２を乗り越え、ピン部材１６Ａはボス部材４０から解放される。その後、便座６０は自重で便器１０方向に回動下降するが、内向き突起部４２が、図２の反時計方向に回動する作用面１６Ｑと摺接する。しかして、図２の反時計方向に回動する作用面１６Ｑの径は、内向き突起部４２に近ずくにつれて漸増するので、内向き突起部４２が、図２の反時計方向に回動する作用面１６Ｑと摺接することにより、ピン部材１６Ａの回動にブレーキをかける。そして、便座６０の便器１０上への着座の直前に、ボス部材４０の内向き突起４２がストッパ１６Ｓと係合して、ピン部材１６Ａと一体回動する便座６０の便器１０上への着座の際の騒音が防止される。
【００１３】
尚、スリーブ３２をボス部材４０及びケース２２に対して相対回動可能とし且つスリーブ３２とボス部材４０との間を図２に示す構造に改変した後、図示しない便蓋も衝撃・騒音を伴うことなく、便座６０と同様に、便器１０上に着座をなすことができる。
【００１４】
【発明の効果】
請求項１の発明によれば、「便座及び便器のいずれか一方と一体的に設けられ且つ半径外方向に突出する外向き突起部及び前記外向き突起部に隣接して円周方向に径が徐変する作用面が形成された軸を前記便座及び前記便器のいずれか他方に固定された弾性体のボス部材の孔部内に回動可能に嵌着し、前記孔部の内周面に突設した内向き突起部が前記外向き突起部と係合することにより前記便座の前記便器に対する起立位置を保持せしめ、前記係合解除方向に付勢することにより前記便座を前記便器側に傾倒させたとき、前記内向き突起部が回動する前記作用面と摺接することによりブレーキ作用をなすようにしてなる、便座のダンパー」を構成したので、当該便座のダンパー装置の構成は、至極簡単となり、且つ、便座の便器に対する起立位置の保持と便座の便器に対する回動時の制動確保の両立が可能となり、実用上、多大な効果を奏する。特に、精度管理はゴム製部材と樹脂製部材との間で行われることになるが、これは、ゴム製部材間で行う精度管理よりも容易に出来、製品の製造容易を可能ならしめる。
【図面の簡単な説明】
【図１】本発明にかかる便座のダンパー装置の設置態様を示す平面図である。
【図２】図１のダンパー装置の径方向断面図である。
【図３】図２のＡ−Ａ線に沿う断面図である。
【符号の説明】
１０・・・便器
１６Ａ・・・ピン部材（軸）
１６Ｐ・・外向き突起部
１６Ｑ・・作用面
４０・・・ボス部材
４２・・・内向き突起部
４４・・・ホース
【図１】
2004173779.tif 000003
【図２】
2004173779.tif 000004
【図３】
2004173779.tif 000005